(57)【要約】  カメラモジュール用回路基板固定装置は、ベース部と、複数の基板の各々の一側を支持する第一の固定部と前記複数の基板の各々の一側と対向する他側を支持する第二の固定部を含む固定ユニットとを含み、前記第一の固定部は、前記ベース部から複数が第一の方向に延びて、前記複数の基板の各々の一側を支持するために第一の方向と垂直な方向に突出した複数の突出部を含み、前記第二の固定部は、前記ベースから複数が前記第一の方向に延びて、前記複数の基板の各々の他側を支持する複数の突出部を含む。【選択図】図６
2019514067.tif 000002
【特許請求の範囲】
【請求項１】
ベース部と、
複数の基板の各々の一側を支持する第一の固定部と前記複数の基板の各々の一側と対向する他側を支持する第二の固定部を含む固定ユニットを含み、
前記第一の固定部は、前記ベース部から複数が第一の方向に延びて、前記複数の基板の各々の一側を支持するために第一の方向と垂直な方向に突出した複数の突出部を含み、
前記第二の固定部は、前記ベースから複数が前記第一の方向に延びて、前記複数の基板の各々の他側を支持する複数の突出部を含むことを特徴とするカメラモジュール用回路基板固定装置。
【請求項２】
前記第一の固定部は、前記ベース部の相互に向かい合う角の部分から延びて配置され、
前記第一の固定部の突出部は、前記第一の固定部の側面から突出した部分を折曲して形成されることを特徴とする請求項１に記載のカメラモジュール用回路基板固定装置。
【請求項３】
前記第一の固定部は、前記ベース部に一対が相互に向かい合うように配置され、
前記第一の固定部の突出部は、前記基板が実装される内部空間に突出して形成されることを特徴とする請求項１に記載のカメラモジュール用回路基板固定装置。
【請求項４】
前記第一の固定部の突出部の突出の長さは、前記ベース部から離れるほど減少することを特徴とする請求項１に記載のカメラモジュール用回路基板固定装置。
【請求項５】
前記第二の固定部は、前記ベース部の相互に平行する辺から各々第一の方向に延びて形成され、
前記第二の固定部の突出部は、前記基板の前記他側を支持するために前記基板が実装される内部空間に向かって突出されることを特徴とする請求項１に記載のカメラモジュール用回路基板固定装置。
【請求項６】
前記第二の固定部には、前記第二の固定部の突出部の間に形成された段差を持つことを特徴とする請求項５に記載のカメラモジュール用回路基板固定装置。
【請求項７】
前記第一の固定部は、第一の幅で形成され、前記第二の固定部は、前記第一の幅よりも狭い第二の幅で形成されたことを特徴とする請求項１に記載のカメラモジュール用回路基板固定装置。
【請求項８】
前記複数の基板は、上下相互向かい合うように複数が重なって配置されたリジッド回路基板及び前記リジッド回路基板を相互に電気的に連結する軟性回路基板を含むことを特徴とする請求項１に記載のカメラモジュール用回路基板固定装置。
【請求項９】
前記基板には、前記第一の固定部の突出部中少なくとも一部の突出部と干渉を防止するために各々異なるサイズを持つ逃避溝が各々形成されたことを特徴とする請求項８に記載のカメラモジュール用回路基板固定装置。
【請求項１０】
ベース部及び複数の基板の各々の一側を支持する第一の固定部と前記複数の基板の各々の他側を支持する第二の固定部を含む固定ユニットと、
前記基板中最上部に配置された基板に実装されるイメージセンサーと、
前記イメージセンサーに流入する光の経路上に配置されたレンズと、
前記レンズを固定するレンズバレルと、
前記固定ユニット、前記イメージセンサー及び前記レンズを収納するハウジングとを含み、
前記第一の固定部は、前記ベース部から複数が第一の方向に延びて、複数の回路基板の一側を各々支持するために第一の方向と垂直方向に突出した複数の突出部を含み、
前記第二の固定部は、前記ベースから複数が前記第一の方向に延びて、前記回路基板の前記一側と対向する他側と接触する複数の突出部を含むことを特徴とするカメラモジュール。
【発明の詳細な説明】
【技術分野】
【０００１】
本実施例は、カメラモジュール用回路基板固定装置及びこれを含むカメラモジュールに関する。
【０００２】
本実施例は、静電気による画質低下、電磁気的安定性（Ｅｌｅｃｔｒｏ  Ｍａｇｎｅｔｉｃ  Ｃｏｍｐａｔｉｂｉｌｉｔｙ，ＥＭＣ）低下を防止できる構造を持つカメラモジュールに関する。
【背景技術】
【０００３】
以下で記述される内容は、本実施例に対する背景インフオメーシヨンを提供するだけであって従来技術を記載したのではない。
【０００４】
近頃、スマートフォン、タブレットＰＣ、ゲーム機のような小型ＩＴ機器はもちろん車両には走行記録、駐車便宜性のためのカメラモジュールが装着されている。
【０００５】
近年車両に装着されるカメラモジュールは、映像を表示する機能以外に様々な付加機能を共に行って、これによりカメラモジュールにはイメージセンサーと共に様々な素子が実装されて、これによりカメラモジュールに使用される回路基板のサイズも次第に増加している。
【０００６】
しかし、カメラモジュールのサイズは限定されているので、近年限定されたカメラモジュールのサイズ及び回路基板の要求面積をともに満たすために、カメラモジュールの内部にサイズが小さい複数枚の回路基板を積層する技術が開発されている。
【０００７】
大韓民国公開特許公報第一の０−２０１０−００４８１０１号、自動車用カメラモジュール（２０１０年０５月１１日公開）にはカメラモジュールの内部に複数枚の回路基板が積層され、各回路基板が締結ねじによってハウジングに結合される技術が開示されている。
【０００８】
しかし、前記自動車用カメラモジュールは、回路基板が締結ねじによってハウジングに結合されるため、締結ねじによる組み立て工程数増加、締結ねじによる生産原価上昇、締結ねじによる回路基板の部品実装面積減少でより多くの回路基板使用及びねじ締結により回路基板の反りが発生する問題点が発生され得る。
【０００９】
一方、自動車には様々な用途のカメラモジュールが装着されることができる。例えば、自動車を駐車する場合、後側の視野を確保することができるカメラモジュールが自動車の後側部に装着されることができる。
【００１０】
さらに、近年交通事故が発生した場合、事故経緯、事故原因などを追跡するのに非常に有用に使用される自動車用ブラックボックスの場合にもカメラモジュールが使用され得る。さらに、自動車の運転者または搭乗客が肉眼で確認しにくい死角の状況を明確かつ容易に把握するための認識装置としてカメラモジュールが使用される場合も次第に増加する傾向にある。
【００１１】
近年いわゆるスマートカー、つまり自動車の走行時前後側の衝突の可能性をあらかじめ探知してこれに備えるようにする衝突警告システム、自動車に搭載される制御装置によって走行する自動車間衝突を運転者の運転によらず前記制御装置が直接回避できる衝突回避システムなどが装着される自動車の製作が増加していて、関連技術の開発が増加している傾向にある。
【００１２】
このようなスマートカーの外部状況認識手段としてカメラモジュールの使用が増加しているところ、これにより自動車用カメラモジュールの生産と技術開発も増加している傾向にある。
【発明の概要】
【発明が解決しようとする課題】
【００１３】
本実施例は、回路基板をハウジング内に固定する際に締結ねじを使用せず回路基板を堅固にハウジングの内部で固定することによって組み立て工程数増加防止、生産原価減少、回路基板の部品実装面積減少防止及び回路基板の反りを防止したカメラモジュール用回路基板固定装置及びこれを含むカメラモジュールを提供する。
【００１４】
また、本実施例は、静電気による画質低下、電磁気的安定性（Ｅｌｅｃｔｒｏ  Ｍａｇｎｅｔｉｃ  Ｃｏｍｐａｔｉｂｉｌｉｔｙ，ＥＭＣ）低下を防止できる構造を持つカメラモジュールに関する。
【００１５】
本実施例が解決しようとする技術的課題は、以上で言及した技術的課題に制限されることなく言及されなかった別の技術的課題は、以下の記載から実施例が属する技術分野で通常の技術者に明確に理解されるはずである。
【課題を解決するための手段】
【００１６】
本実施例のカメラモジュール用回路基板固定装置は、ベース部と、複数の基板の各々の一側を支持する第一の固定部と前記複数の基板の各々の一側と対向する他側を支持する第二の固定部を含む固定ユニットとを含み、前記第一の固定部は、前記ベース部から複数が第一の方向に延びて、前記複数の基板の各々の一側を支持するために第一の方向と垂直方向に突出した複数の突出部を含み、前記第二の固定部は、前記ベースから複数が前記第一の方向に延びて、前記複数の基板の各々の他側を支持する複数の突出部を含むことができる。
【００１７】
前記第一の固定部は、前記ベース部の相互に対向する角の部分から延びて配置され、前記第一の固定部の突出部は、前記第一の固定部の側面から突出した部分を折曲して形成されることができる。
【００１８】
前記第一の固定部は、前記ベース部に一対が相互に向かい合うように配置され、前記第一の固定部の突出部は、前記基板が実装される内部空間に突出して形成されることができる。
【００１９】
前記第一の固定部の突出部の突出の長さは、前記ベース部から離れるほど減少することができる。
【００２０】
前記第二の固定部は、前記ベース部の相互平行した辺から各々第一の方向に延びて形成され、前記第二の固定部の突出部は、前記基板の前記他側を支持するために前記基板が実装される内部空間に向かって突出することができる。
【００２１】
前記第二の固定部には、前記第二の固定部の突出部の間に形成された段差を持つことができる。
【００２２】
前記第一の固定部は、第一の幅で形成され、前記第二の固定部は、前記第一の幅より狭い第二の幅で形成されることができる。
【００２３】
前記複数の基板は、上下に相互に向かい合うように複数が重なって配置されたリジッド回路基板及び前記リジッド回路基板を相互電気的に連結する軟性回路基板を含むことができる。
【００２４】
前記基板には、前記第一の固定部の突出部中少なくとも一部の突出部と干渉を防止するために各々異なるサイズを持つ逃避溝が各々形成されることができる。
【００２５】
本実施例のカメラモジュールは、ベース部及び複数の基板の各々の一側を支持する第一の固定部と前記複数の基板の各々の他側を支持する第二の固定部を含む固定ユニットと、前記基板中最上部に配置された基板に実装されるイメージセンサーと、前記イメージセンサーに流入する光の経路上に配置されたレンズと、前記レンズを固定するレンズバレルと、前記固定ユニットと、前記イメージセンサー及び前記レンズを収納するハウジングを含み、前記第一の固定部は、前記ベース部から複数が第一の方向に延びて、複数の回路基板の一側を各々支持するために第一の方向と垂直する方向に突出した複数の突出部を含み、前記第二の固定部は、前記ベースから複数が前記第一の方向に延びて、前記回路基板の前記一側と対向する他側と接触する複数の突出部を含むことができる。
【００２６】
本実施例のカメラモジュールは、レンズ部と、前記レンズ部を内部空間に収容する中空型のフロントボディー（ｆｒｏｎｔ  ｂｏｄｙ）と、前記フロントボディーの後側に配置され、複数の印刷回路基板で備えられる基板部と、前記基板部と結合して、前記複数の印刷回路基板を光軸方向に互いに離隔させる第一のフェンス（ｆｅｎｃｅ）と、前記第一のフェンスの後側で前記第一のフェンスと結合する第二のフェンスと、前記基板部と前記第二のフェンスを電気的に連結するフィンガー（ｆｉｎｇｅｒ）を含むことができる。
【００２７】
前記複数の印刷回路基板は、前記レンズ部と向かい合うように配置される第一の基板と、前記第一の基板と光軸方向に離隔して配置される第三の基板と、前記第一の基板と前記第三の基板との間に、前記第一の基板と前記第三の基板と各々離隔するように配置される第二の基板を含むことができる。
【００２８】
前記フィンガーは、前記第二のフェンスと前記第三の基板を電気的に連結することができる。
【００２９】
前記フィンガーは、前記第三の基板に結合する基板結合部と、前記基板結合部から延びて形成されて弾性変形する弾性変形部を含み、前記第二のフェンスが前記弾性変形部を加圧することによって、前記第二のフェンスと前記第三の基板は互いに電気的に連結されることができる。
【００３０】
前記第二のフェンスは、前記基板部方向に突出形成されて前記フィンガーを加圧する加圧部を備えることができる。
【００３１】
前記第一のフェンスは、一側に前記フロントボディーと結合するボディー結合部を備えて、前記フロントボディー、前記ボディー結合部及び前記第一の基板は、締結機構によって結合することができる。
【００３２】
前記第一のフェンスは、前記印刷回路基板の一面を支持する第一の突出部と、前記印刷回路基板の他面を支持する第二の突出部を含むことができる。
【００３３】
前記第二の基板及び前記第三の基板は、前記第一の突出部及び前記第二の突出部によって前記第一のフェンスと結合して、光軸方向に離隔するように配置されることができる。
【００３４】
前記第二のフェンスは、前記第一のフェンスと着脱可能に結合するフック（ｈｏｏｋ）が形成され、前記第一のフェンスは、前記フックが結合する貫通部が形成されることができる。
【００３５】
前記第二のフェンスは、前記基板部と電気的に連結されて前記基板部を接地することができる。
【００３６】
前記フィンガーは、ベリリウム銅（ｂｅｒｙｌｌｉｕｍ  ｃｏｐｐｅｒ）材質に備えられることができる。
【００３７】
本実施例のカメラモジュールは、前記基板部と外部ケーブルを連結するケーブル連結部をさらに含むことができる。
【００３８】
前記ケーブル連結部は、前記基板部と結合する第一の連結部と、前記第一の連結部及び前記外部ケーブルと結合する第二の連結部を含むことができる。
【００３９】
本実施例のカメラモジュールは、レンズ部と、前記レンズ部が結合するフロントボディーと、前記レンズ部と向かい合うように配置される第一の基板と、前記第一の基板と光軸方向に離隔して配置される第三の基板と、前記第一の基板と前記第三の基板との間に、前記第一の基板と前記第三の基板と各々離隔するように配置される第二の基板と、前記第一の基板、前記第二の基板及び前記第三の基板と結合して、前記第一の基板、第二の基板及び第三の基板を光軸方向に互いに離隔させる第一のフェンスと、前記第一のフェンスと結合する第二のフェンスと、前記第二のフェンスと前記第三の基板を電気的に連結するフィンガーを含み、前記フィンガーは、前記第三の基板に結合する基板結合部と、前記基板結合部から延びて形成されて弾性変形する弾性変形部を含み、前記第二のフェンスが前記弾性変形部を加圧することによって、前記第二のフェンスと前記第三の基板は互いに電気的に連結されることができる。
【発明の効果】
【００４０】
本実施例のカメラモジュール用回路基板固定装置及びこれを含むカメラモジュールは、回路基板をハウジング内に固定する際に締結ねじを使用せず回路基板を堅固にハウジング内部で固定することによって組み立て工程数増加防止、生産原価減少、回路基板の部品実装面積減少防止及び回路基板の反りを防止することができる。
【００４１】
本実施例のカメラモジュールは、ボディー結合部、第一の突出部及び第二の突出部を含む第一のフェンスを使用することによって、カメラモジュールの基板部に備えられる複数の印刷回路基板を光軸方向に一定かつ容易に整列させることができる効果がある。
【００４２】
また、基板部と第二のフェンスは、電気的に連結されて基板部に発生する静電気は第二のフェンスに流れて、第二のフェンスは接地部として機能するので、基板部に発生する静電気をなくしたり顕著に減らすことができる効果がある。
【００４３】
また、基板部に発生する静電気をなくしたり顕著に減らすことによって、静電気によるカメラモジュールの画質低下、電磁気的安定性（Ｅｌｅｃｔｒｏ  Ｍａｇｎｅｔｉｃ  Ｃｏｍｐａｔｉｂｉｌｉｔｙ，ＥＭＣ）低下を防止できる効果がある。
【図面の簡単な説明】
【００４４】
【図１】本第一の実施例に係るカメラモジュールの外観斜視図である。
【図２】図１のＩ−Ｉ’線に沿って切断した断面図である。
【図３】図２に図示された回路基板固定装置を図示した斜視図である。
【図４】図３に図示された回路基板固定装置の固定ユニットを図示した斜視図である。
【図５】本第二の実施例に係る固定ユニットを図示した斜視図である。
【図６】本第一の実施例により固定ユニットに結合された固定キヤップを図示した分解斜視図である。
【図７】図６の結合斜視図である。
【図８】本発明の第一の実施例に係る固定ユニットの第一及び第二の固定部に第一乃至第四の回路基板を組み立てる順序を図示した図である。
【図９】本発明の第一の実施例に係る固定ユニットの第一及び第二の固定部に第一乃至第四の回路基板を組み立てる順序を図示した図である。
【図１０】本発明の第一の実施例に係る固定ユニットの第一及び第二の固定部に第一乃至第四の回路基板を組み立てる順序を図示した図である。
【図１１】本第三の実施例のカメラモジュールを示した斜視図である。
【図１２】本第三の実施例のカメラモジュールを示した分解斜視図である。
【図１３】本第三の実施例のカメラモジュールを示した正面図である。
【図１４】本第三の実施例のカメラモジュールの一部を示した斜視図である。
【図１５】図１４の正面図である。
【図１６】図１５の本第三の実施例において第二のフェンスを除去した図である。
【図１７】図１６をｚ軸を中心に回転させた図である。
【図１８】本第三の実施例の第一のフェンスを示した斜視図である。
【図１９】図１３のＡ部分を示した部分斜視図である。
【図２０】第三の実施例の第三の基板とフィンガーを示した斜視図である。
【図２１】本第三の実施例のフィンガーを示した側面図である。
【発明を実施するための形態】
【００４５】
以下、添付図面を参照して実施例を詳細に説明する。実施例は多様な変更を加えることができて様々な形態を持つことができるが、特定実施例を図面に例示して本文に詳細に説明する。しかしこれは実施例を特定の開示形態に対して限定しようとするのではなく、実施例の思想及び技術範囲に含まれるすべての変更、均等物乃至代替物を含むものと理解されなければならない。
【００４６】
“第一の”、“第二の”等の用語は、様々な構成要素を説明するのに使用することができるが、前記構成要素は、前記用語によって限定されてはいけない。前記用語は、一つの構成要素を他の構成要素から区別する目的で使用される。さらに、実施例の構成及び作用を考慮して特別に定義された用語は、実施例を説明するためのものであるだけで、実施例の範囲を限定するのではない。
【００４７】
実施例の説明において、各ｅｌｅｍｅｎｔの“上（うえ）”または“下（した）”（ｏｎ ｏｒ ｕｎｄｅｒ）に形成される場合において、上（うえ）または下（した）（ｏｎ  ｏｒ  ｕｎｄｅｒ）は二つのｅｌｅｍｅｎｔが互いに直接（ｄｉｒｅｃｔｌｙ）接触したり一つ以上の別のｅｌｅｍｅｎｔが前記二つのｅｌｅｍｅｎｔの間に配置されて（ｉｎｄｉｒｅｃｔｌｙ）形成されることをいずれも含む。また“上（うえ）”または“下（した）”（ｏｎ  ｏｒ  ｕｎｄｅｒ）で表現される場合、一つのｅｌｅｍｅｎｔを基準に上方向だけでなく下方向の意味も含むことができる。
【００４８】
さらに、以下で利用される“上／上部／うえ”及び“下／下部／した”等のような関係的用語は、そのような実体または要素の間のいかなる物理的または論理的関係または順序を必ず要求したり内包はしないながら、いずれか一つの実体または要素を別の実体または要素と区別するために利用されることもできる。
【００４９】
さらに、図面では直交座標系（ｘ、ｙ、ｚ）を使用することができる。図面でｘ軸とｙ軸は、光軸に対して垂直した平面を意味しており、便宜上光軸方向（ｚ軸方向）は第一の方向、ｘ軸方向は第二の方向、ｙ軸方向は第三の方向と称することができる。
【００５０】
本実施例のカメラモジュールは、第一の実施例、第二の実施例及び第三の実施例を持つことができる。本第一の実施例と本第二の実施例のカメラモジュールは、回路基板を堅固に固定するための回路基板固定装置を含むカメラモジュールに関し、本第三の実施例のカメラモジュールは、電磁気的安定性（Ｅｌｅｃｔｒｏ  Ｍａｇｎｅｔｉｃ  Ｃｏｍｐａｔｉｂｉｌｉｔｙ，ＥＭＣ）のための第一のフェンスと第二のフェンスを含むカメラモジュールに関する。
【００５１】
まず、本第一の実施例と第二の実施例のカメラモジュールについて説明する。
【００５２】
図１は、本第一の実施例に係るカメラモジュールの外観斜視図である。図２は、図１のＩ−Ｉ‘線に沿って切断した断面図である。
【００５３】
図１及び図２を参照すると、本第一の実施例のカメラモジュール７００は、回路基板固定装置１００、イメージセンサー２００、レンズ３００、レンズバレル４００及びハウジング５００を含むことができる。
【００５４】
図３は、図２に図示された回路基板固定装置を図示した斜視図である。
【００５５】
図３を参照すると、回路基板固定装置１００は、多数の回路基板１１０を固定する固定ユニット１８０を含むことができる。
【００５６】
本第一の実施例に係る回路基板１１０は、固定ユニット１８０によって堅固に固定されることができる。
【００５７】
本第一の実施例において、回路基板１１０は、例えば、４個が固定ユニット１８０に固定されることができる。
【００５８】
以下説明の便宜上、回路基板１１０は、第一の回路基板１１２、第二の回路基板１１４、第三の回路基板１１６及び第四の回路基板１１８に区分する。
【００５９】
第一乃至第四の回路基板１１２、１１４、１１６、１１８は、各々リジッド回路基板（ｒｉｇｉｄ  ｃｉｒｃｕｉｔ  ｂｏａｒｄ）を含むことができる。
【００６０】
本発明の第一の実施例において、第一の回路基板１１２、第二の回路基板１１４、第三の回路基板１１６及び第四の回路基板１１８は、軟性回路基板１１３、１１５、１１７によって一列に連結される。
【００６１】
第一及び第二の回路基板１１２、１１４、第二及び第三の回路基板１１４、１１６及び第三及び第四の回路基板１１６、１１８は、各々軟性回路基板１１３、１１５、１１７によって相互電気的に接続されることができる。
【００６２】
第一乃至第四の回路基板１１２、１１４、１１６、１１８には、各軟性回路基板１１３、１１５、１１７の折れを防止するために凹溝が形成されることができる。
【００６３】
第一乃至第四の回路基板１１２、１１４、１１６、１１８は、ジグザグ形態で積層配置されることができる。例えば、第一の回路基板１１２の上部には第二の回路基板１１４が配置されることができて、第二の回路基板１１４の上部には第三の回路基板１１６が配置され、第三の回路基板１１６の上部には第四の回路基板１１８が配置されることができる。
【００６４】
積層配置された第一乃至第四の回路基板１１２、１１４、１１６、１１８は、相互所定間隔離隔され、第一乃至第四の回路基板１１２、１１４、１１６、１１８の間の間隔は、相互同じまたは相互異なってもよい。
【００６５】
一方、第二の回路基板１１４の平面積よりも第三の回路基板１１６の平面積の方が大きく、第三の回路基板１１６の平面積よりも第四の回路基板１１８の平面積の方が大きいこともある。
【００６６】
本第一の実施例において、第一の回路基板１１２にはイメージセンサー２００が装着されることができて、第四の回路基板１１８にはコネクターなどが装着されることができる。
【００６７】
図４は、図３に図示された回路基板固定装置の固定ユニットを図示した斜視図である。
【００６８】
図３及び図４を参照すると、固定ユニット１８０は、前述した第一乃至第四の回路基板１１２、１１４、１１６、１１８を含む回路基板１１０をねじ締結なしに固定する役割をする。
【００６９】
固定ユニット１８０は、ベース部１２０、第一の固定部１３０及び第二の固定部１４０を含むことができる。
【００７０】
本発明の一実施例において、固定ユニット１８０のベース部１２０、第一の固定部１３０及び第二の固定部１４０は、例えば、一体で形成されることができる。
【００７１】
たとえ本発明の一実施例においては、ベース部１２０、第一の固定部１３０及び第二の固定部１４０が一体で形成されたのが図示及び説明されているが、ベース部１２０、第一の固定部１３０及び第二の固定部１４０は相互分離した状態で組み立てまたは溶接されることができる。
【００７２】
ベース部１２０は、例えば、プレート形状で形成されて、ベース部１２０は後述されるハウジング５００に結合されて固定されることができる。
【００７３】
ベース部１２０の形状は、ハウジング５００の形状によって決められ、ハウジング５００が六面体形状の場合、ベース部１２０は、例えば、ハウジング５００に収納されるのに適した四角プレート形状で形成されることができる。
【００７４】
ベース部１２０の中央の部分には、コネクターなどが通過できるように開口１２２が形成されることができる。
【００７５】
第一の固定部１３０は、ベース部１２０の枠から少なくとも一つがベース部１２０の一側に延びることができる。
【００７６】
本発明の一実施例において、第一の固定部１３０は、ベース部１２０の対向する両側枠から一対の相互向かい合うように第一の方向に延びることができる。第一の方向は、例えば、ベース部１２０に対して高さ方向でありうる。第一の方向は、ベース部１２０と垂直な方向であり、ベース部１２０の角または枠に垂直した方向に延びて形成されることができる。
【００７７】
第一の固定部１３０は、例えば、長方形プレート形状で形成されることができる。たとえ本第一の実施例において、第一の固定部１３０は長方形プレート形状であることが図示及び説明されているが、第一の固定部１３０は様々なプレート形状で形成されることができる。
【００７８】
第一の固定部１３０は、ベース部１２０に対して高さ方向である第一の方向に対し得垂直な方向に突出した支持部１３２、１３３、１３４を含むことができる。
【００７９】
支持部１３２、１３３、１３４は、第二乃至第四の回路基板１１４、１１６、１１８の離脱を防止する役割をする。第一の固定部１３０の支持部１３２、１３３、１４は、第一の固定部１３０の突出部と称することができる。つまり、第一の固定部１３０は、ベース部１２０から複数が第一の方向に延びて、複数の基板１１０の各々の一側を支持するために第一の方向と垂直な方向に突出した複数の突出部を含むことができる。
【００８０】
支持部１３２、１３３、１３４の数は、回路基板１１０の数によって決められる。本第一の実施例において、支持部１３２、１３３、１３４は、ベース部１２０上に配置される第一の回路基板１１２を除いた第二乃至第四の回路基板１１４、１１６、１１８の一側を支持するために、例えば、３個が第一の固定部１３０に形成されることができる。本明細書上回路基板の一側は、回路基板の上面（または下面）であってもよく、回路基板の他側は回路基板の下面（または上面）であってもよい。
【００８１】
第二の回路基板１１４を支持する支持部１３２は、例えば、第一の固定部１３０の両側側面から突出した部分を第二の回路基板１１４の下面に向かって折曲して形成されることができる。
【００８２】
第三の回路基板１１６を支持する支持部１３３は、例えば、第一の固定部１３０の両側側面から突出した部分を第三の回路基板１１６の下面に向かって折曲して形成されることができる。
【００８３】
第四の回路基板１１８を支持する支持部１３４は、例えば、第一の固定部１３０の一部を切開して切開された部分を第一の固定部１３０の外側から内側に突出させて形成されることができる。
【００８４】
本第一の実施例において、第二乃至第四の回路基板１１４、１１６、１１８をジグザグ状で配置するために第二乃至第四の回路基板１１４、１１６、１１８の下面を各々支持する支持部１３２、１３３、１３４の突出の長さは、ベース部１２０から離れるほど断続的に短くなることができる。支持部１３２、１３３、１３４の突出の長さに対応して支持部１３４が支持する基板の大きさが決まることができる。支持部１３２、１３３、１３４の突出の長さがベース部１２０から離れるほど小さくなり、これに対応するようにベース部１２０から離れるほど基板の第一の方向と垂直な方向の大きさも小さくなることができる。
【００８５】
さらに、第二乃至第四の回路基板１１４、１１６、１１８には支持部１３２、１３３、１３４と干渉なしに第二乃至第四の回路基板１１４、１１６、１１８が結合されるように逃避溝が形成されることができる。逃避溝の面積は、第二の回路基板１１４が最も大きく第四の回路基板１１８が最も小さく形成されることができる。
【００８６】
図３及び図４を再び参照すると、第二の固定部１４０は、第一の固定部１３０の支持部１３２、１３３、１３４によって各々支持された第二乃至第四の回路基板１１４、１１６、１１８が上部に離脱するのを防止する。
【００８７】
第二の固定部１４０は、例えば、ベース部１２０に対して一対が相互向かい合うように前記第一の方向に配置されることができる。
【００８８】
従って、第二の固定部１４０は、第一の固定部１３０と平行するように配置されて、平面視で第一の固定部１３０に対して垂直するように配置されることができる。
【００８９】
第二の固定部１４０が、ベース部１２０に第一の固定部１３０に対して一対が配置される場合、第二乃至第四の回路基板１１４、１１６、１１８の４ヶ所を第一及び第二の固定部１３０、１４０が安定的に固定して、第二乃至第四の回路基板１１４、１１６、１１８の離脱及び上下の動きを防止することができる。
【００９０】
第二の固定部１４０は、ベース部１２０の枠から前記第一の方向に形成されることができる。
【００９１】
第二の固定部１４０は、例えば、側面視で長方形プレート形状に形成されることができる。たとえ本第一の実施例において、第二の固定部１４０が長方形プレート形状で形成されることが図示及び説明されているが、これと違って第二の固定部１４０は様々なプレート形状を持つことができる。
【００９２】
第二の固定部１４０の幅は、第一の固定部１０の幅に比べて狭い幅で形成されるが、これは第二の固定部１４０が形成された部分が、第一乃至第四の回路基板１１２、１１４、１１６、１１８を連結する軟性回路基板１１３、１１５、１１７と干渉されるのを防止するためである。
【００９３】
第二の固定部１４０には、ベース部１２０に対して高さ方向に沿って突出部１４３、１４３、１４４が形成される。第二の固定部１４０は、ベース部１２０から複数が第一の方向に延びて、複数の基板１１０の各々の他側を支持したり他側に接触する突出部を含むことができる。第一の方向は、ベース部１２０と垂直な方向であり得る。突出部１４２、１４３、１４４は、ベース部１２０の上面に配置される第一の回路基板１１２を除いた第二乃至第四の回路基板１１４、１１６、１１８と対応する位置に形成される。
【００９４】
本第一の実施例において、第二の固定部１４０に形成された突出部１４２は、第二の回路基板１１４の上面と接触または上面を加圧して、第二の回路基板１１４は、第一の固定部１３０の支持部１３２及び第二の固定部１４０の突出部１４２によって上下に移動されない。
【００９５】
第二の回路基板１１４を固定する突出部１４２は、第二の固定部１４０の一部を切開した後、切開された部分を第二の回路基板１１４の上面に向かって折曲して形成されることができる。
【００９６】
本第一の実施例において、第二の固定部１４０に形成された突出部１４３は、第三の回路基板１１６の上面と接触または上面を加圧して、第三の回路基板１１６は、第一の固定部１３０の支持部１３３及び第二の固定部１４０の突出部１４３によって上下に移動されない。
【００９７】
第三の回路基板１１６を固定する突出部１４３は、第二の固定部１４０の一部を切開した後、切開された部分を第三の回路基板１１６の上面に向かって折曲して形成されることができる。
【００９８】
本第二の実施例において、第二の固定部１４０に形成された突出部１４４は、第四の回路基板１１８の上面と接触または上面を加圧して、第四の回路基板１１８は第一の固定部１３０の支持部１３４及び第二の固定部１４０の突出部１４４によって上下に移動されない。
【００９９】
第四の回路基板１１８を固定する突出部１４４は、第二の固定部１４０の一部を切開した後、切開された部分を第四の回路基板１１８の上面に向かって折曲して形成されることができる。
【０１００】
本第一の実施例において、突出部１４２、１４３、１４４によって固定される第二乃至第四の回路基板１１４、１１６、１１８は、前述したように平面積が次第に増加されるので、第二乃至第四の回路基板１１４、１１６、１１８の平面積を考慮して第二の固定部１４０中各突出部１４２、１４３、１４４の問には段差（ｓｔｅｐ  ｐｏｒｔｉｏｎ）が形成されることができる。
【０１０１】
図５は、本第二の実施例のカメラモジュールに係る固定ユニットを図示した斜視図である。図５に図示された固定ユニットは、支持部及び突出部の形状を除けば前記の図２乃至図４に図示された固定ユニットと実質的に同じ構成を持つ。従って、同じ構成に対する重複した説明は省略して、同じ構成については同じ名称及び同じ参照符号を付与する。
【０１０２】
図５を参照すると固定ユニット１８０は、ベース部１２０、第一の固定部１３０及び第二の固定部１４０を含むことができる。
【０１０３】
第一の固定部１３０は、ベース部１２０に対して高さ方向に沿って形成された支持部１３２ａ、１３３ａ、１３４ａを含むことができる。
【０１０４】
支持部１３２ａ、１３３ａ、１３４ａは、各々第一の固定部１３０の一部を切開して、切開された部分を第一の固定部１３０の外側面から前記外側面と対向する内側面方向に突出させて形成されることができて、支持部１３２ａ、１３３ａ、１３４ａは、第二乃至第四の回路基板１１４、１１６、１１８の下面を支持する。
【０１０５】
第二の固定部１４０は、ベース部１２０に対して高さ方向に沿って形成された突出部１４２ａ、１４３ａ、１４４ａを含むことができる。
【０１０６】
突出部１４２ａ、１４３ａ、１４４ａは、各々第二の固定部１４０の一部を切開して、切開された部分を第二の固定部１４０の外側面から前記外側面と対向する内側面方向に突出させて形成されることができて、突出部１４２ａ、１４３ａ、１４４ａは、第二乃至第四の回路基板１１４、１１６、１１８の上面と接触することができる。
【０１０７】
図６は、本発明の第一の実施例により固定ユニットに結合された固定キヤップを図示した分解斜視図である。図７は、図６の結合斜視図である。
【０１０８】
図６及び図７を参照すると、固定ユニット１８０の第一及び第二の固定部１３０、１４０に第一乃至第四の回路基板１１２、１１４、１１６、１１８が結合された状態で第一及び第二の固定部１３０、１４０が開く場合、第一及び第二の固定部１３０、１４０から第一乃至第四の回路基板１１２、１１４、１１６、１１８が離脱することができる。
【０１０９】
これを防止するために、固定ユニット１８０は、固定キヤップ１５０を含むことができる。固定キヤップ１５０は固定ユニット１８０の第一及び第二の固定部１３０、１４０に結合されて第一及び第二の固定部１３０、１４０の開きを防止することができる。
【０１１０】
固定キヤップ１５０は剛性が高く加工が容易な金属素材または加工性が容易で複雑な形状の成形が可能な合成樹脂素材など様々な素材で製作されることができる。
【０１１１】
固定キヤップ１５０は蓋状で形成されて、固定キヤップ１５０は側壁１５５及び上板１５９を含むことができる。
【０１１２】
上板１５９は、例えば、固定ユニット１８０のベース部１２０と対応する形状で形成されることができる。
【０１１３】
例えば、ベース部１２０が四角プレート形状で形成される場合、上板１５９もベース部１２０と対応する形状で形成されて、本発明の一実施例において上板１５９は四角プレート形状で形成されることができる。
【０１１４】
上板１５９には、固定ユニット１８０に固定された第四の回路基板１１８に接続されるコネクターを露出する開口１５８が形成されることができる。
【０１１５】
一方、上板１５９に形成された開口１５８の周辺には、上板１５９の内側に折り曲げられて第四の回路基板１１８の上面に接触または前記上面を押して第四の回路基板１１８の離脱をさらに防止または抑制する離脱防止部１５７が形成されることができる。
【０１１６】
上板１５９の枠には、側壁１５５が一体で形成されることができて、側壁１５５は、第一及び第二の固定部１３０、１４０の外側面に各々接触して第一及び第二の固定部１３０、１４０が開くのを防止する。
【０１１７】
一方、側壁１５５には、例えば、第一及び第二の固定部１３０、１４０と結合される係止部１５１が形成されることができる。
【０１１８】
係止部１５１は、側壁１５５の一部を切開及び折曲して形成されて、係止部１５１と対応する第一の固定部１３０には、係止部１５１とフック方式で結合されるための貫通孔１３７が形成されることができる。
【０１１９】
側壁１５５には、側壁１５５の反りなどを防止するための反り防止リーブ１５２が少なくとも一つ形成されることができる。
【０１２０】
図８乃至図１０は、本第一の実施例に係る固定ユニットの第一及び第二の固定部に第一乃至第四の回路基板を組み立てる順序を図示した図面である。
【０１２１】
図８を参照すると、固定ユニット１８０のベース部１２０には、第一の回路基板１１２が固定及び結合されることができる。
【０１２２】
以後、図９に示したように、第一及び第二の固定部１３０、１４０には、各々第二の回路基板１１４が第一の回路基板１１２と向かい合うように結合されて、図１０に示したように、第一及び第二の固定部１３０、１４０には、第三の回路基板１１６が第二の回路基板１１４と向かい合うように結合する。
【０１２３】
以後、図３に示したように、第一及び第二の固定部１３０、１４０には、第四の回路基板１１８が第三の回路基板１１６と向かい合うように結合される。
【０１２４】
図２を再び参照すると、図３乃至図８により説明された固定ユニット１８０を含む回路基板固定装置１００は、ハウジング５００の内部に結合されて、ハウジング５００にはレンズ３００が結合されたレンズアセンブリー４００が結合される。
【０１２５】
以上で詳細に説明したように、本第一の実施例と本第二の実施例に係るカメラモジュール用回路基板固定装置及びこれを持つカメラモジュールは、回路基板をハウジング内に固定する際に締結ねじを使用せず回路基板を堅固にハウジング内部で固定することによって組み立て工程数増加防止、生産原価減少、回路基板の部品実装面積減少防止及び回路基板の反りを防止することができる。
【０１２６】
以下、本第三の実施例のカメラモジュールを説明する。
【０１２７】
図１１は、本第三の実施例のカメラモジュールを示した斜視図である。図１２は、本第三の実施例のカメラモジュールを示した分解斜視図である。図１３は、一実施例のカメラモジュールを示した正面図である。
【０１２８】
本第三の実施例のカメラモジュールは、レンズ部１１００、フロントボディー１２００（ｆｒｏｎｔ  ｂｏｄｙ）、基板部１３００、第一のフェンス１４００、第二のフェンス１５００、イメージセンサー１７００、締結機構１８１０、シーリング部材１８２０及びケーブル連結部１８３０を含むことができる。
【０１２９】
レンズ部１１００は、外部の光が入射する部位で、少なくとも一つのレンズが装着されるレンズバレルが含まれることができる。この時、レンズバレルは、単品のレンズで構成されてもよいが、複数のレンズが光軸方向、即ち、第一の方向に整列する形態に備えられてもよい。他の実施例において、レンズバレルなしに一つのレンズまたは複数のレンズがフロントボディー１２００に直接結合してもよい。
【０１３０】
さらに、レンズ部１１００は、フロントボディー１２００とねじ結合、形状嵌合、締まり嵌合などの方法によって結合することがあるので、レンズ部１１００とフロントボディー１２００の結合部位の隙間から水分、埃、その他異物のカメラモジュール内部への流入を遮断するためのシーリング部材１８２０が備えられてもよい。
【０１３１】
シーリング部材１８２０は、図１２に示したように、前記レンズ部１１００と前記フロントボディー１２００の結合部位に配置されて、例えばＯリング（Ｏ−ｒｉｎｇ）形態に備えられることができる。
【０１３２】
フロントボディー１２００は、前記レンズ部１１００を内部空間に収容する中空型に備えられることができる。フロントボディー１２００は、前方部に前記レンズ部１１００が装着されることができる。これのために、フロントボディー１２００には、前記レンズ部１１００が装着される中空が形成されることができる。
【０１３３】
前記フロントボディー１２００は、ハウジング（図示せず）と結合することができる。フロントボディー１２００とハウジングの結合は、例えば、結合機構（図示せず）によって行われる。これのために、図１１及び図１２に示したように、前記フロントボディー１２００の角部位には、結合機構が挿入される通孔が形成されることができる。
【０１３４】
ただし、これは一実施例に過ぎず、他の実施例において結合機構を使用せず、フロントボディー１２００とハウジングを接着、形状嵌合、締まり嵌合方式で結合させてもよい。
【０１３５】
ケーブル連結部１８３０は、前記基板部１３００と外部ケーブルを連結する役割をすることができる。前記ケーブル連結部１８３０と電気的に連結される外部ケーブル（図示せず）を介してカメラモジュールは、外部から電力の供給を受けたり外部装置と電気的信号を送受信することができる。
【０１３６】
ケーブル連結部１８３０は、第一の連結部１８３１と第二の連結部１８３２を含むことができる。第一の連結部１８３１は、前記基板部１３００と結合して、第二の連結部１８３２は、前記第一の連結部１８３１及び前記外部ケーブルと結合することができる。
【０１３７】
第一の連結部１８３１は、図１３を参照すると、例えば、基板部１３００中最後側に配置される第三の基板１３１３と結合して、第二の連結部１８３２は、前記第一の連結部１８３１と結合して、前記外部ケーブルは、第二の連結部１８３２と結合することができる。このような構造によって基板部１３００と外部ケーブルは互いに電気的に連結されることができる。
【０１３８】
基板部１３００は、前記フロントボディー１２００の後側に配置されて、複数の印刷回路基板１３１０に備えられることができる。前記基板部１３００は、印刷回路基板１３１０とコネクター１３２０を含むことができる。
【０１３９】
印刷回路基板１３１０は、図１２に示したように、光軸方向に互いに離隔して複数で配置されることができる。前記印刷回路基板１３１０は、前記レンズ部１１００と対向して複数で配置されることができる。図１２では、一実施例として４個の印刷回路基板３１０が備えられているが、４個未満または４個を超えて配置されてもよい。
【０１４０】
以下では、図１１乃至図１３に図示された第三の実施例に係る印刷回路基板１３１０を含む基板部１３００について説明する。印刷回路基板１３１０は、第一の基板１３１１、第二の基板１３１２及び第三の基板１３１３を含むことができる。
【０１４１】
前記第一の基板１３１１は、前記レンズ部１１００と向かい合うように配置されることができる。前記第三の基板１３１３は、前記第一の基板１３１１と光軸方向に離隔して配置されることができる。前記第二の基板１３１２は、前記第一の基板１３１１と前記第三の基板１３１３との間に、前記第一の基板１３１１と前記第三の基板１３１３と各々離隔するように配置されることができる。
【０１４２】
この時、第二の基板１３１２は、例えば、第一の基板１３１１と隣接して配置される第二の−１基板１３１２−１と、第三の基板１３１３と隣接して配置される第二の−２基板１３１２−２を含むことができるが、これに限定されず、前記第二の基板１３１２は、一つの基板、または、三つ以上の基板が光軸方向に配置される形態に備えられてもよい。
【０１４３】
前記第一の基板１３１１は、前記レンズ部１１００と対向するが、前記レンズ部１１００と隣接して配置されることができて、前記レンズ部１１００と向かい合う面、即ち、前面にイメージセンサー１７００が装着されることができて、その他種々の回路素子などが備えられる電磁気回路が形成されることができる。
【０１４４】
レンズ部１１００を介して入射される光を前記イメージセンサー１７００でセンシングし、前記第一の基板１３１１は、センシングされたイメージを電気的信号に変えて外部のイメージ保存装置またはイメージ再生装置に伝送する役割をすることができる。ただし、センシングされたイメージを電気的信号に変えるのは、別の基板でも実行されることができる。
【０１４５】
第二の−１基板１３１２−１と第二の−２基板１３１２−２を含む前記第二の基板１３１２は、前記第一の基板１３１１及び第三の基板１３１３の間に配置されて、前記第一の基板１３１１及び前記第三の基板１３１３と電気的に連結されて電磁気回路が形成されることができる。
【０１４６】
第二の−１基板１３１２−１と第二の−２基板１３１２−２は、前記第一の基板１３１１に必要な電力を供給する電気的通路の役割をすることができ、前記第一の基板１３１１から伝送されるセンシングされたイメージに対する電気的信号を外部のイメージ保存装置またはイメージ再生装置に伝達する役割をすることができる。
【０１４７】
例えば、第二の−１基板１３１２−１及び／または第二の−２基板１３１２−２は、第一の基板１３１１から伝送されるセンシングされたイメージを電気的信号に変えて外部のイメージ保存装置またはイメージ再生装置に伝送したり、第三の基板１３１３から入力される電力を整流して第一の基板１３１１に伝送する役割をすることができる。
【０１４８】
即ち、第二の−１基板１３１２−１及び／または第二の−２基板１３１２−２は、第一の基板１３１１と第三の基板１３１３との間に配置されて第一の基板１３１１と第三の基板１３１３が行う役割を部分的に分けて行ってもよい。
【０１４９】
前記第三の基板１３１３は、前記第二の基板１３１２後側に配置されて、前記第二の基板１３１２と電気的に連結されて電磁気回路が形成されることができる。前記のように、第三の基板１３１３は、ケーブル連結部１８３０及び外部ケーブルと電気的に連結されることができる。
【０１５０】
第三の基板１３１３は、主に前記カメラモジュールの作動に必要な電力を外部から供給を受けて前記第一の基板１３１１及び第二の基板１３１２に送り、前記第一の基板１３１１及び第二の基板１３１２から伝送されるセンシングされたイメージに対する電気的信号を外部のイメージ保存装置またはイメージ再生装置に伝達する役割をすることができる。
【０１５１】
従って、第三の基板１３１３にはカメラモジュールの作動に必要な適切な電圧及び電流を持つ電力を供給するためのコンデンサ、整流器、変圧器などの素子が装着されることもできる。さらに、第三の基板１３１３には外部のイメージ保存装置、イメージ再生装置、カメラモジュール制御装置などと電気的連結のために、前記のようにケーブル連結部１８３０が結合してもよい。
【０１５２】
コネクター１３２０は、前記複数の印刷回路基板１３１０を互いに電気的に連結して、柔軟な材質に備えられることができる。コネクター１３２０は、前記印刷回路基板１３１０、即ち、第一の基板１３１１、第二の−１基板１３１２−１、第二の−２基板１３１２−２及び第三の基板１３１３を各々電気的に連結する役割をすることができる。前記コネクター１３２０は、各基板を互いに電気的に連結するので、印刷回路基板１３１０の数よりも一つ少ない数に備えられることができる。
【０１５３】
本第三の実施例において、図１７を参照すると、印刷回路基板１３１０は、第一の基板１３１１、第二の−１基板１３１２−１、第二の−２基板１３１２−２及び第三の基板１３１３の計４個で備えられるので、コネクター１３２０はこれらよりも一つ少ない３個で備えられることができる。
【０１５４】
図１２及び図１７を参照すると、実施例においては各基板を互いに連結するコネクター１３２０が各基板の側面に一つずつ備えられるが、これに限定されず、各基板の回路構造、カメラモジュールの全体的な構造を考慮してコネクター１３２０の数、配置位置を選択することができる。
【０１５５】
コネクター１３２０は、各基板と結合作業が容易な点、カメラモジュールの外部に加えられる衝撃、振動で破損しないようにこのような衝撃、振動を吸収する必要がある点を考慮すると、柔軟な材質で形成することが適切である。このようにコネクター１３２０は、柔軟回路基板で形成されることができる。
【０１５６】
ただし、これに限定されず、衝撃、振動に強いものであれば堅固な材質を使用してもよく、電線束を使用してコネクター１３２０を形成してもよい。
【０１５７】
さらに、コネクター１３２０と各基板の結合のために、半田付け、電気伝導性接着剤による接着方式などを使用することができる。このようなコネクター１３２０は、各基板を電気的に連結するＢ２Ｂ（ｂｏａｒｄ  ｔｏ  ｂｏａｒｄ）コネクター１３２０の役割をすることができる。
【０１５８】
第一のフェンス４００は、前記基板部３００と結合して、前記複数の印刷回路基板３１０を光軸方向に互いに離隔させる役割をすることができる。第一のフェンス４００については下記に図面を参照して具体的に説明する。
【０１５９】
図１４は、第三の実施例のカメラモジュールの一部を示した斜視図である。図１５は、図１４の正面図である。第二のフェンス１５００は、前記第一のフェンス１４００の後側で前記第一のフェンス１４００と結合して、前記基板部１３００と電気的に連結されて前記基板部１３００を接地する役割をすることができる。
【０１６０】
外部電源からカメラモジュールに電力が供給されると、カメラモジュールには静電気が発生する可能性がある。特に、基板部１３００で発生する静電気は、カメラモジュールの性能に悪影響を及ぼす恐れがある。
【０１６１】
例えば、基板部１３００で発生する静電気は、電磁気的ノイズを発生させることができて、このようなノイズは、撮影されるイメージがぶれたり、画質が低下する原因となる恐れがあるので、カメラモジュールの電磁気的安定性（Ｅｌｅｃｔｒｏ  Ｍａｇｎｅｔｉｃ  Ｃｏｍｐａｔｉｂｉｌｉｔｙ，ＥＭＣ）を低下させることができる。
【０１６２】
前記の問題点を解決するために、前記基板部１３００を、接地して基板部１３００で発生する静電気をなくしたり減らす必要があり、本第三の実施例においては第二のフェンス１５００が接地部の役割をすることができる。
【０１６３】
前記第二のフェンス１５００が、接地部になるためには、基板部１３００と第二のフェンス５００が互いに電気的に連結されるべきであり、このような電気的連結構造は、下記に図面を参照して具体的に後述する。
【０１６４】
前記第二のフェンス１５００は、図１４に示したように、前記第一のフェンス１４００の後側部で前記第一のフェンス１４００を囲んで前記第一のフェンス１４００と結合することができる。この時、前記第二のフェンス１５００は、前記第一のフェンス１４００と着脱可能に結合することができる。
【０１６５】
前記第二のフェンス１５００は、前記第一のフェンス１４００と着脱可能に結合するフック１５２０（ｈｏｏｋ）が形成されることができる。さらに、前記第一のフェンス１４００は、前記フック１５２０と対応する部位に前記フック１５２０が結合する貫通部１４４０が形成されることができる。
【０１６６】
前記フック１５２０は弾性変形が可能であるので、前記フック１５２０が弾性変形しながら前記貫通部１４４０に結合したり離脱することによって、前記第二のフェンス１５００は、前記第一のフェンス１４００に着脱式で結合することができる。
【０１６７】
図１５に示したように、実施例のカメラモジュールは、フィンガー１６００（ｆｉｎｇｅｒ）をさらに含むことができる。フィンガー１６００は、前記基板部３００と前記第二のフェンス１５００を電気的に連結する役割をすることができる。
【０１６８】
例えば、前記フィンガー１６００は、前記第二のフェンス１５００と前記第三の基板１３１３を電気的に連結することができる。前記フィンガー１６００は、前記第三の基板１３１３に結合して、前記第二のフェンス１５００は、前記フィンガー１６００と対応する部位に前記フィンガー１６００を加圧する加圧部１５１０が形成されることができる。
【０１６９】
このような構造によって、前記加圧部１５１０が前記フィンガー１６００を加圧することによって、前記加圧部１５１０と前記フィンガー１６００は互いに接触して、これにより前記第二のフェンス１５００と第三の基板１３１３を含む前記基板部１３００は互いに電気的に接触することができる。前記フィンガー１６００と加圧部１５１０の具体的な構造は、下記に図面を参照して具体的に説明する。
【０１７０】
一方、前記第二のフェンス１５００は、前記第三の基板１３１３と電気的に連結されて前記基板部１３００で発生する静電気が前記第二のフェンス１５００に流れるように導電性材質、例えば、導電性金属材質で形成することが好ましい。
【０１７１】
図１６は、図１５で一実施例の第二のフェンス１５００を除去した図面である。図１７は、図１６をｚ軸を中心に回転させた図面である。図１８は、一実施例の第一のフェンス１４００を示した斜視図である。
【０１７２】
第一のフェンス１４００は、前記基板部１３００と結合して、前記複数の印刷回路基板１３１０を光軸方向に互いに離隔させる役割をすることができ、ボディー結合部１４３０、第一の突出部１４１０及び第二の突出部１４２０を含むことができる。
【０１７３】
ボディー結合部１４３０は、前記第一のフェンサーの一側、即ち、前方部に前記フロントボディー１２００と結合するように備えられることができる。この時、前記ボディー結合部１４３０は、前記フロントボディー１２００と前記第一の基板１３１１との間に配置されて、フロントボディー１２００と第一の基板１３１１に結合することができる。
【０１７４】
この時、前記フロントボディー１２００、前記ボディー結合部１４３０及び前記第一の基板１３１１は、締結機構１８１０（図１２及び図１３参照）により互いに結合することができる。このような構造によって、第一の基板１３１１を含む基板部１３００は、前記第一のフェンス１４００により前記フロントボディー１２００に結合することができる。
【０１７５】
この時、第一の基板１３１１の全面に装着されるイメージセンサー１７００がレンズ部１１００と互いに向かい合うように、図１８に示したように、前記ボディー結合部１４３０には通孔が形成されることができる。
【０１７６】
第一の突出部１４１０は、前記印刷回路基板１３１０の一面、例えば前面を支持することができる。第二の突出部１４２０は、前記印刷回路基板１３１０の他面、例えば後面を支持することができる。
【０１７７】
従って、前記第一の突出部１４１０と第二の突出部１４２０は、光軸方向に離隔して形成されることができて、このような隔離距離は、各印刷回路基板１３１０、即ち、第二の基板１３１２、第三の基板１３１３の厚さと対応することができる。
【０１７８】
前記第二の基板１３１２及び前記第三の基板１３１３は、前記第一の突出部１４１０及び前記第二の突出部１４２０により前記第一のフェンス１４００と結合して、光軸方向に離隔するように配置されることができる。
【０１７９】
即ち、第二の基板１３１２と第三の基板１３１３は、前記第一の突出部１４１０と第二の突出部１４２０との間に挟まれて前記第一のフェンス１４００に結合することができる。一方、第一の基板１３１１は、前記のように、ボディー結合部１４３０に締結機構１８１０により結合して、第一の突出部１４１０と第二の突出部１４２０との間に挟まれないことがある。
【０１８０】
このような構造によって、実施例の第一のフェンス１４００において、第一の突出部１４１０と第二の突出部１４２０は、光軸方向に各々離隔する３ヶ所の位置に配置されることができる。これは、本第三の実施例において第二の−１基板１３１２−１、第二の−２基板１３１２−２及び第三の基板１３１３が、第一の突出部と第二の突出部１４２０との間に挟まれることができるためである。
【０１８１】
第一の突出部１４１０と第二の突出部１４２０の各々の光軸方向離隔位置によって前記第一の基板１３１１、第二の−１基板１３１２−１、第二の−２基板１３１２−２及び第三の基板１３１３の相互間の光軸方向離隔位置が定まることができる。
【０１８２】
本第三の実施例において、ボディー結合部１４３０、第一の突出部１４１０及び第二の突出部１４２０を含む第一のフェンス１４００を使用することによって、カメラモジュールの基板部１３００に備えられる複数の印刷回路基板１３１０を光軸方向に設定された間隔で容易に整列させることができる効果がある。
【０１８３】
さらに、第一のフェンス１４００は、前記基板部１３００を囲むように備えられることによって、前記基板部３００で発生する電磁波を部分的に遮蔽する役割をすることもできる。
【０１８４】
図１９は、図１３のＡの部分を示した部分斜視図である。フィンガー１６００は、基板結合部１６１０と弾性変形部１６２０を含むことができる。基板結合部１６１０は、前記第三の基板１３１３に結合することができる。この時、前記基板結合部１６１０と前記第三の基板１３１３は、半田付け、導電性接着剤などにより互いに結合することができる。弾性変形部１６２０は、前記基板結合部１６１０から延びて形成されて弾性変形することができる。
【０１８５】
前記第二のフェンス１５００が、前記弾性変形部１６２０を加圧することによって、前記第二のフェンス１５００と前記第三の基板１３１３は互いに電気的に連結されることができる。この時、前記第二のフェンス１５００は、前記基板部１３００方向に突出形成されて前記フィンガー１６００を加圧する加圧部１５１０を備えることができる。
【０１８６】
加圧部１５１０が前記弾性変形部１６２０と接触しながら前記弾性変形部１６２０を加圧すると、前記弾性変形部１６２０は、弾性変形が発生するようになり、このような構造によって加圧部１５１０と弾性変形部１６２０はより確実に電気的に連結されることができて、加圧部１５１０と弾性変形部１６２０との間の電気的断線（ｄｉｓｃｏｎｎｅｃｔｉｏｎ）は防止されることができる。
【０１８７】
即ち、第二のフェンス１５００が第一のフェンス１４００に結合する場合、加圧部１５１０の末端が弾性変形部１６２０の上面よりもさらに下側に位置することによって、弾性変形部１６２０は変形が発生すると同時に加圧部１５１０と確実な接触が発生するので、加圧部１５１０と弾性部は、電気的断線の発生なしにより確実に電気的に連結されることができる。
【０１８８】
加圧部１５１０と弾性変形部１６２０が電気的に連結されると、加圧部１５１０を含む第二のフェンス１５００と、弾性変形部１６２０を含むフィンガー１６００と前記フィンガー１６００を含む基板部１３００は電気的に連結されることができる。
【０１８９】
従って、基板部１３００で発生する静電気は、電気的に連結された第二のフェンス１５００に流れることができ、第二のフェンス１５００は接地部の役割をすることによって基板部１３００で発生する静電気をなくしたり顕著に減らすことができる。
【０１９０】
本第三の実施例において、基板部１３００と第二のフェンス１５００は電気的に連結されて、基板部１３００で発生する静電気は、第二のフェンス１５００に流れて、第二のフェンス１５００は接地部として機能するので、基板部１３００で発生する静電気をなくしたり顕著に減らすことができる効果がある。
【０１９１】
また、基板部１３００で発生する静電気をなくしたり顕著に減らすことによって、静電気によるカメラモジュールの画質低下、電磁気的安定性（Ｅｌｅｃｔｒｏ  Ｍａｇｎｅｔｉｃ  Ｃｏｍｐａｔｉｂｉｌｉｔｙ，ＥＭＣ）の低下を防止できる効果がある。
【０１９２】
図２０は、本第三の実施例の第三の基板１３１３とフィンガー１６００を示した斜視図である。図２１は、一実施例のフィンガー１６００を示した側面図である。
【０１９３】
図２０に示されたように、前記フィンガー１６００は、例えば印刷回路基板１３１０中最後側に配置される第三の基板１３１３の後面に結合することができる。また、前記フィンガー１６００は、第二のフェンス１５００に形成される加圧部１５１０と光軸方向に対向される位置に備えられることができる。
【０１９４】
また、前記フィンガー１６００は、前記加圧部１５１０と同じ数で備えられることができる。図２０では二つのフィンガー１６００が備えられるが、これに限定されず、一つ、または、三つ以上のフィンガー１６００が備えられてもよい。
【０１９５】
また、前記フィンガー１６００の位置も特別な制限がなくカメラモジュールの細部構造または全体構造を考慮してフィンガー１６００の位置、数などを適切に選択することができる。この時、前記加圧部１５１０は、前記フィンガー１６００の位置、数などに対応するように備えられることができる。
【０１９６】
図２１に示したように、前記フィンガー１６００の弾性変形部１６２０は、側面視で全体的にＳ字状に備えられることができる。しかし、これは一実施例に過ぎず、弾性変形部１６２０が加圧部１５１０により弾性変形して、弾性変形部１６２０と加圧部１５１０との間の機械的、電気的接触を確実に維持できる形状であれば、弾性変形部１６２０をいかなる形状で採択しても差し支えない。
【０１９７】
一方、前記フィンガー１６００は、耐摩耗性、疲労強度、弾性限界、電気伝導性などに優れた材質で形成されることが適切である。従って、前記フィンガー１６００は、例えばベリリウム銅（ｂｅｒｙｌｌｉｕｍ  ｃｏｐｐｅｒ）材質に備えられることができる。
【０１９８】
実施例と関連して前述したように幾つか記述したが、その他にも様々な形態の実施が可能である。前記で説明した実施例の技術的内容は互いに両立できない技術でない限り、多様な形態で組合わせることができ、これにより新しい実施例に具現されることもできる。
【図１】
2019514067.tif 000003
【図２】
2019514067.tif 000004
【図３】
2019514067.tif 000005
【図４】
2019514067.tif 000006
【図５】
2019514067.tif 000007
【図６】
2019514067.tif 000008
【図７】
2019514067.tif 000009
【図８】
2019514067.tif 000010
【図９】
2019514067.tif 000011
【図１０】
2019514067.tif 000012
【図１１】
2019514067.tif 000013
【図１２】
2019514067.tif 000014
【図１３】
2019514067.tif 000015
【図１４】
2019514067.tif 000016
【図１５】
2019514067.tif 000017
【図１６】
2019514067.tif 000018
【図１７】
2019514067.tif 000019
【図１８】
2019514067.tif 000020
【図１９】
2019514067.tif 000021
【図２０】
2019514067.tif 000022
【図２１】
2019514067.tif 000023
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
ベース部と、
複数の基板の各々の一側を支持する第一の固定部と前記複数の基板の各々の一側と対向する他側を支持する第二の固定部を含む固定ユニットを含み、
前記第一の固定部は、前記ベース部から複数が第一の方向に延びて、前記複数の基板の各々の一側を支持するために第一の方向と垂直な方向に突出した複数の突出部を含み、
前記第二の固定部は、前記ベースから複数が前記第一の方向に延びて、前記複数の基板の各々の他側を支持する複数の突出部を含むことを特徴とするカメラモジュール用回路基板固定装置。
【請求項２】
前記第一の固定部は、前記ベース部の相互に向かい合う角の部分から延びて配置され、
前記第一の固定部の突出部は、前記第一の固定部の側面から突出した部分を折曲して形成されることを特徴とする請求項１に記載のカメラモジュール用回路基板固定装置。
【請求項３】
前記第一の固定部は、前記ベース部に一対が相互に向かい合うように配置され、
前記第一の固定部の突出部は、前記基板が実装される内部空間に突出して形成されることを特徴とする請求項１に記載のカメラモジュール用回路基板固定装置。
【請求項４】
前記第一の固定部の突出部の突出の長さは、前記ベース部から離れるほど減少することを特徴とする請求項１に記載のカメラモジュール用回路基板固定装置。
【請求項５】
前記第二の固定部は、前記ベース部の相互に平行する辺から各々第一の方向に延びて形成され、
前記第二の固定部の突出部は、前記基板の前記他側を支持するために前記基板が実装される内部空間に向かって突出されることを特徴とする請求項１に記載のカメラモジュール用回路基板固定装置。
【請求項６】
前記第二の固定部には、前記第二の固定部の突出部の間に形成された段差を持つことを特徴とする請求項５に記載のカメラモジュール用回路基板固定装置。
【請求項７】
前記第一の固定部は、第一の幅で形成され、前記第二の固定部は、前記第一の幅よりも狭い第二の幅で形成されたことを特徴とする請求項１に記載のカメラモジュール用回路基板固定装置。
【請求項８】
前記複数の基板は、上下相互向かい合うように複数が重なって配置されたリジッド回路基板及び前記リジッド回路基板を相互に電気的に連結する軟性回路基板を含むことを特徴とする請求項１に記載のカメラモジュール用回路基板固定装置。
【請求項９】
前記基板には、前記第一の固定部の突出部中少なくとも一部の突出部と干渉を防止するために各々異なるサイズを持つ逃避溝が各々形成されたことを特徴とする請求項８に記載のカメラモジュール用回路基板固定装置。
【請求項１０】
前記第一の固定部と前記第二の固定部に連結されて前記第一の固定部と前記第二の固定部の隔たることを防止する固定キャップをさらに含むことを特徴とする請求項１に記載のカメラモジュール用回路基板固定装置。
【請求項１１】
前記固定キャップは、
前記第一の固定部の外側面及び前記第二の固定部の外側面と各々接触する側壁と、
前記側壁に形成される開口を含む上板を含むことを特徴とする請求項１０に記載のカメラモジュール用回路基板固定装置。
【請求項１２】
前記開口は前記複数の前記基板中最後方に配置された基板の下面に連結されるコネクターを露出することを特徴とする請求項１１に記載のカメラモジュール用回路基板固定装置。
【請求項１３】
前記第一の固定部は貫通孔を含み、
前記側壁は貫通孔に結合される係止部を含むことを特徴とする請求項１１に記載のカメラモジュール用回路基板固定装置。
【請求項１４】
前記固定キャップの上板は前記複数の基板中最後方に配置される基板の離脱を抑える離脱防止部を含むことを特徴とする請求項１３に記載のカメラモジュール用回路基板固定装置。
【請求項１５】
前記係止部は前記側壁の一部を切開及び折曲して形成され、前記貫通孔にフック（ｈｏｏｋ）結合されることを特徴とする請求項１３に記載のカメラモジュール用回路基板固定装置。
【請求項１６】
前記側壁は前記側壁の反りを防止する少なくとも一つの防止リブを含むことを特徴とする請求項１１に記載のカメラモジュール用回路基板固定装置。
【請求項１７】
前記固定キャップの上板は前記側壁と一体に形成されることを特徴とする請求項１１に記載のカメラモジュール用回路基板固定装置。
【請求項１８】
前記第一の固定部の前記複数の突出部は前記複数の基板の下面を支持し、
前記第二の固定部の前記複数の突出部は前記複数の基板の上面を支持することを特徴とする請求項８に記載のカメラモジュール用回路基板固定装置。
【請求項１９】
前記第二の固定部の幅は前記第一の固定部の幅より狭く形成されることを特徴とする請求項８に記載のカメラモジュール用回路基板固定装置。
【請求項２０】
ベース部及び複数の基板の各々の一側を支持する第一の固定部と前記複数の基板の各々の他側を支持する第二の固定部を含む固定ユニットと、
前記基板中最上部に配置された基板に実装されるイメージセンサーと、
前記イメージセンサーに流入する光の経路上に配置されたレンズと、
前記レンズを固定するレンズバレルと、
前記固定ユニット、前記イメージセンサー及び前記レンズを収納するハウジングとを含み、
前記第一の固定部は、前記ベース部から複数が第一の方向に延びて、複数の回路基板の一側を各々支持するために第一の方向と垂直方向に突出した複数の突出部を含み、
前記第二の固定部は、前記ベースから複数が前記第一の方向に延びて、前記回路基板の前記一側と対向する他側と接触する複数の突出部を含むことを特徴とするカメラモジュール。
【国際調査報告】
2019514067.tif 000024
2019514067.tif 000025
2019514067.tif 000026
2019514067.tif 000027